(57)【要約】【課題】スキャン機能を備えたデジタル放送受信機において、現在位置に応じたチャンネルリストに自動的に切り替え可能とする。【解決手段】本発明に係るデジタル放送受信機１によれば、入力装置１２によりスキャン指示が入力されると、スキャン処理を実行し、受信可能な放送局を検出してチャンネルリストを作成し、この作成されたチャンネルリストを当該チャンネルリストが作成された地点の位置情報と対応付けてチャンネルリスト記憶部２２に記憶する。また、デジタル放送の受信中に、チャンネルリスト表示制御処理を実行し、チャンネルリスト記憶部２２に記憶されているチャンネルリストの中から現在位置検出部１８により検出された現在位置に応じたチャンネルリストを読み出して表示装置１６に表示する。【選択図】図１
2009111602.tif 000002
【特許請求の範囲】
【請求項１】
デジタル放送信号を受信する受信手段と、
現在位置の位置情報を検出する現在位置検出手段と、
チャンネルリストを記憶するチャンネルリスト記憶手段と、
チャンネルリストを表示する表示手段と、
前記受信手段において受信可能な放送局を検出し、検出された放送局を示すチャンネルリストを作成し、この作成されたチャンネルリストを当該チャンネルリストが作成された地点の位置情報と対応付けて前記チャンネルリスト記憶手段に記憶させる制御手段と、
前記チャンネルリスト記憶手段に記憶されているチャンネルリストのうち前記現在位置検出手段により検出された現在位置に応じたチャンネルリストを前記表示手段に表示させる表示制御手段と、
を備えるデジタル放送受信機。   
【請求項２】
前記位置情報に基づき放送エリア区分を判別する放送エリア区分判別手段を備え、
前記制御手段は、前記放送エリア区分判別手段により前記チャンネルリストが作成された地点の放送エリア区分を判別し、この判別された放送エリア区分を前記チャンネルリストに更に対応付けて前記チャンネルリスト記憶手段に記憶させ、
前記表示制御手段は、前記放送エリア区分判別手段により前記現在位置検出手段において検出された現在位置の放送エリア区分を判別し、この判別された放送エリア区分が対応付けられたチャンネルリストを前記表示手段に表示させる請求項１に記載のデジタル放送受信機。
【請求項３】
前記制御手段は、前記チャンネルリストが作成された地点の放送エリア区分と一致する放送エリア区分が対応付けられたチャンネルリストが既に前記チャンネルリスト記憶手段に記憶されている場合に、前記作成されたチャンネルリストにより前記記憶されたチャンネルリストを更新する請求項１に記載のデジタル放送受信機。
【請求項４】
前記表示制御手段は、前記現在位置検出手段により検出された現在位置の放送エリア区分に対応付けられたチャンネルリストが前記チャンネルリスト記憶手段に複数記憶されている場合には、現在位置に最も近い位置情報に対応付けられたチャンネルリストを前記表示手段に表示させる請求項２に記載のデジタル放送受信機。
【請求項５】
チャンネルリストと、当該チャンネルリストに対応する位置情報及び放送エリア区分を予め記憶するプリセットチャンネルリスト記憶手段を備え、
前記表示制御手段は、前記チャンネルリスト記憶手段又は前記プリセットチャンネルリスト記憶手段に記憶されているチャンネルリストのうち、前記現在位置検出手段により検出された現在位置に最も近い位置情報が対応付けられたチャンネルリストを前記表示手段に表示させる請求項２に記載のデジタル放送受信機。
【請求項６】
前記表示手段に表示するチャンネルリスト内の各放送局が前記受信手段により現在受信可能であるか否かを検出する検出手段を備え、
前記表示制御手段は、前記受信可能な放送局と受信不可能な放送局とを識別可能に前記チャンネルリストを表示させる請求項１〜５の何れか一項に記載のデジタル放送受信機。
【発明の詳細な説明】
【技術分野】
【０００１】
本発明は、デジタル放送受信機に関する。
【背景技術】
【０００２】
近年、テレビ、ラジオ共にデジタル技術が導入されつつある。デジタル放送では、アナログ放送に比べ高品質な映像・音声を視聴者に提供することができ、また、アナログ放送よりも伝送可能な情報量が多いことから、様々な情報を視聴者に提供することが可能となっている。また、デジタル放送受信機の小型軽量化、低消費電力化などの技術発展に伴い、携帯電話機や車載ＡＶＮ（Audio Visual Navigation）システムなどの移動体に受信機が搭載されるようになってきている。
【０００３】
移動体に搭載されたデジタル放送受信機では、移動による受信状況の変化や放送局エリアの変化などから受信可能な放送局が変化する。そこで、従来、エリア毎に受信可能な放送局（チャンネル）のリスト（以下、チャンネルリストという）を予めメモリに記憶しておき、ユーザにエリアを選択させることでチャンネルリストを切り替える機能を備える装置が存在する。
また、例えば、特許文献１には、予め各放送局エリアに対応するチャンネルを記憶しておき、ＧＰＳ（Global Positioning System）で測位した現在位置に基づき、現在属している放送局エリア及び隣接する最も近い放送局エリアを判断し、現在属しているか又は隣接する最も近い放送局エリアに対応するチャンネルを呼び出して表示する技術が記載されている。
【０００４】
また、デジタル放送受信機には、有効周波数帯域の全ての有効チャンネルに対して放送波が存在するか否かをチェックし、受信可能な放送局を検出しリスト化するスキャン機能を備えているものも多い。スキャン機能を備えている場合、予めメモリに記憶されたチャンネルリストに比べ、新しいチャンネルリストを入手することができるという利点がある。また、予めメモリに記憶されたチャンネルリストは、搭載可能なメモリ容量の関係から県単位など大まかな地域単位で放送エリア区分を分けている場合が多いが、スキャン機能を備えていれば、ユーザが所望する複数地点のチャンネルリストを入手することができるという利点がある。
【特許文献１】特許第３２３５１３３号公報
【発明の開示】
【発明が解決しようとする課題】
【０００５】
しかしながら、スキャン機能により入手されたチャンネルリストは、ユーザが現在位置を認識して切り替えなけばならなかった。特に、放送エリア区分の境界等ではユーザは頻繁に切り替える必要があり、手間がかかり煩雑であった。また、スキャン機能により入手されたチャンネルリストと予め記憶されたチャンネルリストの双方を利用可能な受信機においても、ユーザが現在位置を認識し、最適なチャンネルリストに切り替える必要があった。
【０００６】
本発明の課題は、スキャン機能を備えたデジタル放送受信機において、現在位置に応じたチャンネルリストに自動的に切り替え可能とすることである。
【課題を解決するための手段】
【０００７】
上記課題を解決するため、請求項１に記載の発明のデジタル放送受信機は、
デジタル放送信号を受信する受信手段と、
現在位置の位置情報を検出する現在位置検出手段と、
チャンネルリストを記憶するチャンネルリスト記憶手段と、
チャンネルリストを表示する表示手段と、
前記受信手段において受信可能な放送局を検出し、検出された放送局を示すチャンネルリストを作成し、この作成されたチャンネルリストを当該チャンネルリストが作成された地点の位置情報と対応付けて前記チャンネルリスト記憶手段に記憶させる制御手段と、
前記チャンネルリスト記憶手段に記憶されているチャンネルリストのうち前記現在位置検出手段により検出された現在位置に応じたチャンネルリストを前記表示手段に表示させる表示制御手段と、
を備える。   
【０００８】
請求項２に記載の発明は、請求項１に記載の発明において、
前記位置情報に基づき放送エリア区分を判別する放送エリア区分判別手段を備え、
前記制御手段は、前記放送エリア区分判別手段により前記チャンネルリストが作成された地点の放送エリア区分を判別し、この判別された放送エリア区分を前記チャンネルリストに更に対応付けて前記チャンネルリスト記憶手段に記憶させ、
前記表示制御手段は、前記放送エリア区分判別手段により前記現在位置検出手段において検出された現在位置の放送エリア区分を判別し、この判別された放送エリア区分が対応付けられたチャンネルリストを前記表示手段に表示させる。
【０００９】
請求項３に記載の発明は、請求項１に記載の発明において、
前記制御手段は、前記チャンネルリストが作成された地点の放送エリア区分と一致する放送エリア区分が対応付けられたチャンネルリストが既に前記チャンネルリスト記憶手段に記憶されている場合に、前記作成されたチャンネルリストにより前記記憶されたチャンネルリストを更新する。
【００１０】
請求項４に記載の発明は、請求項２に記載の発明において、
前記表示制御手段は、前記現在位置検出手段により検出された現在位置の放送エリア区分に対応付けられたチャンネルリストが前記チャンネルリスト記憶手段に複数記憶されている場合には、現在位置に最も近い位置情報に対応付けられたチャンネルリストを前記表示手段に表示させる。
【００１１】
請求項５に記載の発明は、請求項２に記載の発明において、
チャンネルリストと、当該チャンネルリストに対応する位置情報及び放送エリア区分を予め記憶するプリセットチャンネルリスト記憶手段を備え、
前記表示制御手段は、前記チャンネルリスト記憶手段又は前記プリセットチャンネルリスト記憶手段に記憶されているチャンネルリストのうち、前記現在位置検出手段により検出された現在位置に最も近い位置情報が対応付けられたチャンネルリストを前記表示手段に表示させる。
【００１２】
請求項６に記載の発明は、請求項１〜５の何れか一項に記載の発明において、
前記表示手段に表示するチャンネルリスト内の各放送局が前記受信手段により現在受信可能であるか否かを検出する検出手段を備え、
前記表示制御手段は、前記受信可能な放送局と受信不可能な放送局とを識別可能に前記チャンネルリストを表示させる。
【発明の効果】
【００１３】
本発明によれば、スキャン機能を備えたデジタル放送受信機において、現在位置に応じたチャンネルリストに自動的に切り替えることが可能となる。
【発明を実施するための最良の形態】
【００１４】
以下、添付図面を参照して本発明に係る第１〜第７の実施の形態を詳細に説明する。ただし、発明の範囲は、図示例に限定されない。
【００１５】
〔第１の実施の形態〕
まず、第１の実施の形態におけるデジタル放送受信機１について説明する。デジタル放送受信機１は、地上デジタル放送信号を受信して、受信した放送の映像や音声を出力するものである。デジタル放送受信機１は、車載ＡＶＮ（Audio Visual Navigation）システムに搭載されていることとして説明するが、携帯電話機などの他の移動体に搭載されていてもよい。
【００１６】
図１に、デジタル放送受信機１の機能構成例を示す。
図１に示すように、デジタル放送受信機１は、制御部１１、入力装置１２、チューナー部１３、復調部１４、映像・音声出力装置１５、表示装置１６、スピーカ１７、現在位置検出部１８、ＲＯＭ１９、ＲＡＭ２０、ハードディスク装置２１、チャンネルリスト記憶部２２等を備えて構成されている。なお、本実施の形態においては、地上デジタル放送の伝送方式をＯＦＤＭ（Orthogonal Frequency Division Multiplexing：直交周波数分割多重）方式として説明するが、これに限定されるものではない。
【００１７】
制御部１１は、ＣＰＵ（Central Processing Unit）等により構成される。制御部１１は、ＲＯＭ１９に記憶されているシステムプログラムを読み出して実行し、デジタル放送受信機１の各部を駆動制御する。また、制御部１１は、入力装置１２からの操作信号の入力や復調部１４からのデジタル放送信号の入力に従って、ＲＯＭ１９に記憶されている各種処理プログラムを読み出してＲＡＭ２０内に展開し、展開されたプログラムに従って、各種処理を実行する。
【００１８】
入力装置１２は、方向（上、右上、右、右下、下、左下、左、左上）を指示するための矢印キー、この矢印キーの中央部に配置されたセットキー、数字キー、その他各種機能に対応付けられた各種キーを備え、操作されたキーに対する操作信号を制御部１１に出力する。また、入力装置１２は、表示装置１６の画面を覆うように設けられたタッチパネルを備え、電磁誘導式、磁気歪式、感圧式等の座標読み取り原理でタッチ指示された座標を検出し、検出した座標を位置信号として制御部１１に出力する。あるいは、入力装置１２は、リモコン、マイク等を備える構成としてもよい。
【００１９】
チューナー部１３は、放送波を受信するアンテナ１３ａに接続され、制御部１１の制御に基づきアンテナ１３ａと同調を図ることで、選局されたチャンネル（放送局）に対応する周波数の放送信号（ＯＦＤＭ信号）を受信する。
【００２０】
復調部１４は、チューナー部１３から入力されたＯＦＤＭ信号を復調する。具体的には、入力されたＯＦＤＭ信号をＡＤ（Analog to Digital：アナログ・デジタル）変換してデジタル信号に変換した後、同期処理、ＦＦＴ（Fast Fourier Transform：高速フーリエ変換）演算、誤り訂正処理等を実行することで、ＴＳ（Transport Stream：トランスポート・ストリーム）を抽出する。そして、ＴＳから映像データ、音声データ及びその他データ（例えば、ＴＭＣＣ（Transmission and Multiplexing Configuration Control）情報等の伝送制御データ、ＰＭＴ（Program Map Table）、ＰＡＴ（Program Association Table）、ＮＩＴ（Network Information Table）等の情報テーブル等）を分離し、分離した各データを制御部１１に出力する。
【００２１】
映像・音声出力装置１５は、制御部１１の制御に基づき、復調部１４から出力された映像データを可視映像に変換し、表示装置１６に出力する。また、映像・音声出力装置１５は、制御部１１を介して復調部１４から出力された音声データを可聴音に変換し、スピーカ１７に出力する。
【００２２】
表示装置１６は、カラー液晶ディスプレイ等により構成され、制御部１１からの制御に従って、表示画面上にチャンネルリスト等の表示情報を表示する。また、映像・音声出力装置１５において可視化された映像を表示する。
スピーカ１７は、映像・音声出力装置１５において変換された音声を出力する。
【００２３】
現在位置検出部１８は、  ＧＰＳモジュール、自律航法ユニット等を備えて構成されている。
ＧＰＳモジュールは、図示しないＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両の絶対的な現在位置の位置情報（緯度、経度）を検出して、制御部１１に出力する。
自律航法ユニットは、角度センサ、距離センサ等を備える。角度センサは、車の角速度（単位時間あたりの水平方向への回転角度）を検出して、移動方位の変化量を算出する。距離センサは、車輪の回転に応じて出力されるパルス信号を検出して、車両の移動量を算出する。自律航法ユニットは、これら角速度信号および車速パルス信号により、車両の相対的な位置変化を算出して制御部１１に出力する。
【００２４】
ＲＯＭ（Read Only Memory）１９は、不揮発性の半導体メモリ等により構成され、制御部１１で実行される各種プログラムやプログラムにより処理の実行に必要なパラメータ、或いは処理結果等のデータを記憶する。これらの各種プログラムは、読取可能なプログラムコードの形態で格納され、制御部１１は、当該プログラムコードに従った動作を逐次実行する。
【００２５】
ＲＡＭ（Random Access Memory）２０は、制御部１１により実行制御される各種処理において、ＲＯＭ１９から読み出された制御部１１で実行可能な各種プログラム、入力若しくは出力データ、及びパラメータ等の一時的に記憶するワークエリアを形成する。
【００２６】
ハードディスク装置２１は、地図ＤＢ（Data Base）２１１を記憶する。
地図ＤＢ２１１は、位置情報（緯度経度、住所）と、その位置情報が属する放送エリア区分とを対応付けて記憶する。
【００２７】
チャンネルリスト記憶部２２は、不揮発性の半導体メモリ等により構成され、スキャン処理（図３参照）により作成されたチャンネルリストを記憶する。チャンネルリストは、スキャン処理された地点で受信可能と判断された周波数帯の放送局を示すリストであり、例えば、放送局名、放送局に対応するリモコン番号、周波数等の情報により構成される。なお、チャンネルリストは、リモコン番号及び周波数以外にも、放送局と関連した他のパラメータを含んでいてもよい。
図２に、チャンネルリスト記憶部２２におけるデータ格納例を示す。図２に示すように、チャンネルリスト記憶部２２は、チャンネルリストを構成する各情報（リモコン番号、放送局名、周波数）と、当該チャンネルリストが作成された地点の位置情報（緯度経度、住所等）と、当該チャンネルリストが作成された地点が属する放送エリア区分とを対応付けて記憶する。異なる地点で複数のスキャン処理が行われた場合は、複数のチャンネルリストが記憶される。
【００２８】
次に、第１の実施の形態の動作について説明する。
第１の実施の形態において、制御部１１は、スキャン処理Ａ、チャンネルリスト表示制御処理Ａを実行する。
【００２９】
（スキャン処理Ａ）
図３に、第１の実施の形態において制御部１１により実行されるスキャン処理Ａのフローを示す。この処理は、入力装置１２によりスキャン指示が入力された際に実行され、制御部１１とＲＯＭ１９に記憶されたスキャン処理Ａプログラムとの協働によるソフトウエア処理により実現される。
【００３０】
まず、現在位置検出部１８により現在位置の位置情報（以下、現在位置情報という）が取得され、ＲＡＭ２０に一時記憶される（ステップＳ１）。次いで、地図ＤＢ２１１が参照され、取得された現在位置情報に基づいて、現在位置が属する放送エリア区分（地域／県等）が判別され、判別された放送エリア区分がＲＡＭ２０に一時記憶される（ステップＳ２）。
【００３１】
次いで、チューナー部１３において有効周波数帯域のうち一の周波数が選択されて放送信号の受信が行われ（ステップＳ３）、チューナー部１３において受信された放送信号から、復調部１４によりＴＭＣＣ情報等の制御情報、ＰＡＴ、ＰＭＴ、ＮＩＴ等の情報テーブルが取得される（ステップＳ４）。
【００３２】
次いで、復調部１４において取得された制御情報及び情報テーブルが解析され、現在選択されている周波数の放送局における放送波・サービスの有無が判断される。解析の結果、現在選択されている周波数の放送局における放送波・サービスが存在すると判断されると（ステップＳ５；ＹＥＳ）、リモコン番号が自動的に割り当てられ、割り当てられたリモコン番号、現在選択されている周波数及び放送局名の情報がＲＡＭ２０にチャンネルリストとして仮登録され（ステップＳ６）、処理はステップＳ７に移行する。解析の結果、現在選択されている周波数の放送局における放送波・サービスが存在しないと判断されると（ステップＳ５；ＮＯ）、処理はステップＳ７に移行する。
【００３３】
ステップＳ７においては、有効周波数帯域の全ての周波数でスキャンされたか（全ての周波数が選択されたか）否かが判断され、まだスキャンされていない周波数が存在すると判断されると（ステップＳ７；ＮＯ）、処理はステップＳ３に戻る。有効周波数帯域の全ての周波数でスキャンがされたと判断されると（ステップＳ７；ＹＥＳ）、ＲＡＭ２０にチャンネルリストとして仮登録された各情報に、ステップＳ１において取得された現在位置情報（即ち、チャンネルリスト作成地点の位置情報）及びステップＳ２で判別された放送エリア区分（即ち、チャンネルリスト作成地点の放送エリア区分）を示す情報が対応付けられる（ステップＳ８）。そして、ステップＳ１において取得された現在位置情報と一致する位置情報が対応付けられたチャンネルリストがチャンネルリスト記憶部２２において検索処理される（ステップＳ９）。
【００３４】
検索処理の結果、チャンネルリスト記憶部２２においてステップＳ１で取得された現在位置情報と一致する位置情報が対応付けられたチャンネルリストが検索されると（ステップＳ９；ＹＥＳ）、検索されたチャンネルリストがＲＡＭ２０上に仮登録されたチャンネルリストにより上書きされて（又は、マージされて）更新され（ステップＳ１０）、本処理は終了する。
【００３５】
一方、チャンネルリスト記憶部２２において、ステップＳ１で取得された現在位置情報と一致する位置情報が対応付けられたチャンネルリストが検索されなかった場合（ステップＳ９；ＮＯ）、ＲＡＭ２０に仮登録されたチャンネルリスト（当該チャンネルリストの作成地点の位置情報及びステップＳ２で判別された放送エリア区分が対応付けられたチャンネルリスト）がチャンネルリスト記憶部２２に登録され（ステップＳ１１）、本処理は終了する。
【００３６】
以上のスキャン処理Ａにより、ユーザによるスキャン指示に応じて、スキャンが指示された位置において受信可能な放送局を示すチャンネルリストが登録される。既に現在位置と同一の位置情報が対応付けられたチャンネルリストがチャンネルリスト記憶部２２に登録されている場合には、同一の位置情報が対応付けられたチャンネルリストが新たにスキャンされたチャンネルリストにより上書き又はマージされて更新される。
【００３７】
（チャンネルリスト表示制御処理Ａ）
次に、スキャン処理Ａにより登録されたチャンネルリストを現在位置に応じて切り替え表示するチャンネルリスト表示制御処理Ａについて説明する。
図４に、制御部１１により実行されるチャンネルリスト表示制御処理Ａのフローを示す。この処理は、通常受信中において、制御部１１とＲＯＭ１９に記憶されたチャンネルリスト表示制御処理Ａプログラムとの協働によるソフトウエア処理により実現される。なお、通常受信中とは、ユーザによる入力装置１２による選局指示後から次のユーザによるスキャン又は選局指示までの放送受信中状態を指す。
【００３８】
まず、現在位置検出部１８により現在位置情報が取得される（ステップＳ２１）。次いで、チャンネルリスト記憶部２２において現在位置に最も近い位置情報が対応付けられたチャンネルリストが検索される（ステップＳ２２）。次いで、現在表示されているチャンネルリストの位置情報と検索されたチャンネルリストの位置情報とが比較され、現在表示されているチャンネルリストが検索されたチャンネルリストの位置情報より現在位置に近いと判断されると（ステップＳ２３；ＮＯ）、処理はステップＳ２５に移行する。一方、検索されたチャンネルリストの位置情報が現在表示されているチャンネルリストの位置情報より現在位置に近いと判断されると（ステップＳ２３；ＹＥＳ）、検索されたチャンネルリストに表示装置１６の表示が切り替えられ（ステップＳ２４）、処理はステップＳ２５に移行する。
【００３９】
ステップＳ２５においては、通常受信中であるか否かが判断され、通常受信中であると判断されると（ステップＳ２５；ＹＥＳ）、一定時間待機され（ステップＳ２６）、処理はステップＳ２１に戻る。一方、通常受信中ではないと判断されると（ステップＳ２５；ＮＯ）、本処理は終了する。
【００４０】
以上説明したように、第１の実施の形態においては、スキャンにより取得されたチャンネルリストをチャンネルリスト記憶部２２に記憶しておき、通常受信中においては、デジタル放送受信機１の移動に応じて、現在位置に最も近い位置情報が対応付けられたチャンネルリストにチャンネルリストの表示が自動的に切り替えられる。従って、移動により受信可能な放送局が変わっても、ユーザが操作することなく、常に受信可能な放送局をチャンネルの選択肢として提供することが可能となる。また、以前スキャンした地点で新たにスキャンを行うと、新たにスキャンした内容に上書き又はマージされて更新されるので、例えば、放送局が新たに開設された場合等があっても、最新の受信環境に対応してチャンネルリストを更新することが可能となる。
【００４１】
〔第２の実施の形態〕
以下、本発明の第２の実施の形態について説明する。
第２の実施の形態は、スキャン処理において一つの放送エリア区分に対し一つのチャンネルリストを登録可能とし、現在位置が属する放送エリア区分に応じてチャンネルリストを切り替え表示するものである。
【００４２】
第２の実施の形態の構成は、第１の実施の形態で説明したのと略同様であるので説明を省略し、第２の実施の形態における動作について説明する。
【００４３】
（スキャン処理Ｂ）
図５に、第１の実施の形態において制御部１１により実行されるスキャン処理Ｂのフローを示す。この処理は、入力装置１２によりスキャン指示が入力された際に実行され、制御部１１とＲＯＭ１９に記憶されたスキャン処理Ｂプログラムとの協働によるソフトウエア処理により実現される。
【００４４】
まず、現在位置検出部１８により現在位置情報が取得され、ＲＡＭ２０に一時記憶される（ステップＳ３１）。次いで、地図ＤＢ２１１が参照され、取得された現在位置情報に基づいて、現在位置が属する放送エリア区分（地域／県等）が判別され、判別された放送エリア区分がＲＡＭ２０に一時記憶される（ステップＳ３２）。
【００４５】
次いで、チューナー部１３において有効周波数帯域のうち一の周波数が選択されて放送信号が受信され（ステップＳ３３）、受信された放送信号から、復調部１４によりＴＭＣＣ情報等の制御情報、ＰＡＴ、ＰＭＴ、ＮＩＴ等の情報テーブルが取得される（ステップＳ３４）。
【００４６】
次いで、復調部１４において取得された制御情報及び情報テーブルが解析され、現在選択されている周波数の放送局における放送波・サービスの有無が判断される。解析の結果、現在選択されている周波数の放送局における放送波・サービスが存在すると判断されると（ステップＳ３５；ＹＥＳ）、リモコン番号が自動的に割り当てられ、割り当てられたリモコン番号、現在選択されている周波数及び放送局名の情報がＲＡＭ２０にチャンネルリストとして仮登録され（ステップＳ３６）、処理はステップＳ３７に移行する。解析の結果、現在選択されている周波数に対応する放送局の放送波・サービスが存在しないと判断されると（ステップＳ３５；ＮＯ）、処理はステップＳ３７に移行する。
【００４７】
ステップＳ３７においては、有効周波数帯域の全ての周波数でスキャンされたか（全ての周波数が選択されたか）否かが判断され、まだスキャンされていない周波数が存在すると判断されると（ステップＳ３７；ＮＯ）、処理はステップＳ３３に戻る。有効周波数帯域の全ての周波数でスキャンされたと判断されると（ステップＳ３７；ＹＥＳ）、ＲＡＭ２０にチャンネルリストとして仮登録された各情報に、ステップＳ３１において取得された現在位置情報（即ち、チャンネルリスト作成地点の位置情報）及びステップＳ３２で判別された放送エリア区分（即ち、チャンネルリスト作成地点の放送エリア区分）を示す情報が対応付けられる（ステップＳ３８）。そして、ステップＳ３２において判別された放送エリア区分と一致する放送エリア区分が対応付けられたチャンネルリストがチャンネルリスト記憶部２２において検索処理される（ステップＳ３９）。
【００４８】
検索処理の結果、チャンネルリスト記憶部２２においてステップＳ３２で判別された放送エリア区分と一致する放送エリア区分が対応付けられたチャンネルリストが検索されると（ステップＳ３９；ＹＥＳ）、検索されたチャンネルリストがＲＡＭ２０上に仮登録されたチャンネルリストにより上書きされ（又は、マージされ）（ステップＳ４０）、本処理は終了する。
【００４９】
一方、チャンネルリスト記憶部２２において、ステップＳ３２で判別された放送エリア区分と一致する放送エリア区分が対応付けられたチャンネルリストが検索されなかった場合（ステップＳ３８；ＮＯ）、ＲＡＭ２０に仮登録されたチャンネルリスト（当該チャンネルリストの作成地点の位置情報及びステップＳ３２で判別された放送エリア区分が対応付けられたチャンネルリスト）がチャンネルリスト記憶部２２に登録され（ステップＳ４１）、本処理は終了する。
【００５０】
以上のスキャン処理により、ユーザによるスキャン指示に応じて、スキャンが指示された位置において受信可能なチャンネルリストが登録される。既に現在位置が属する放送エリア区分と同一の放送エリア区分が対応付けられたチャンネルリストがチャンネルリスト記憶部２２に登録されている場合には、同一の放送エリア区分が対応付けられたチャンネルリストが新たにスキャンされたチャンネルリストにより上書き又はマージされて更新される。
【００５１】
（チャンネルリスト表示制御処理Ｂ）
次に、スキャン処理Ｂにより登録されたチャンネルリストを現在位置に応じて切り替え表示するチャンネルリスト表示制御処理Ｂについて説明する。
図６に、制御部１１により実行されるチャンネルリスト表示制御処理Ｂのフローを示す。この処理は、通常受信中において、制御部１１とＲＯＭ１９に記憶されたチャンネルリスト表示制御処理Ｂプログラムとの協働によるソフトウエア処理により実現される。なお、通常受信中とは、ユーザによる入力装置１２による選局指示後から次のユーザによるスキャン又は選局指示までの放送受信中状態を指す。
【００５２】
まず、現在位置検出部１８により現在位置情報が取得される（ステップＳ５１）。次いで、地図ＤＢ２１１が参照され、ステップＳ５１で取得された現在位置情報に基づいて、現在位置が属する放送エリア区分（地域／県等）が判別される（ステップＳ５２）。
【００５３】
次いで、現在位置が属する放送エリア区分が現在表示されているチャンネルリストの放送エリア区分と一致しているか否かが判断され、一致していると判断されると（ステップＳ５３；ＹＥＳ）、処理はステップＳ５６に移行する。現在位置が属する放送エリア区分が現在表示されているチャンネルリストの放送エリア区分と一致していないと判断されると（ステップＳ５３；ＮＯ）、現在位置が属する放送エリア区分が対応付けられたチャンネルリストがチャンネルリスト記憶部２２に記憶されているか否かが判断され、記憶されていないと判断されると（ステップＳ５４；ＮＯ）、処理はステップＳ５６に移行する。
【００５４】
一方、現在位置が属する放送エリア区分が対応付けられたチャンネルリストがチャンネルリスト記憶部２２に記憶されていると判断されると（ステップＳ５４；ＹＥＳ）、チャンネルリスト記憶部２２に記憶されている、現在位置が属する放送エリア区分が対応付けられたチャンネルリストに表示装置１６の表示が切り替えられ（ステップＳ５５）、処理はステップＳ５６に移行する。
【００５５】
ステップＳ５６においては、通常受信中であるか否かが判断され、通常受信中であると判断されると（ステップＳ５６；ＹＥＳ）、一定時間待機され（ステップＳ５７）、処理はステップＳ５１に戻る。一方、通常受信中ではないと判断されると（ステップＳ５６；ＮＯ）、本処理は終了する。
【００５６】
以上説明したように、第２の実施の形態においては、スキャンにより取得されたチャンネルリストをチャンネルリスト記憶部２２に記憶しておき、通常受信中においては、デジタル放送受信機１の移動に応じて、現在位置が属する放送エリア区分が対応付けられたチャンネルリストにチャンネルリストの表示が自動的に切り替えられる。従って、移動により受信可能な放送局が変わっても、ユーザが操作することなく、常に現在位置が属する放送局エリアで受信可能な放送局をチャンネルの選択肢として提供することが可能となる。また、以前スキャンした地点で新たにスキャンを行うと、新たにスキャンした内容に上書き又はマージされて更新されるので、例えば、放送局が新たに開設された場合等があっても、最新の受信環境に対応してチャンネルリストを更新することが可能となる。
【００５７】
〔第３の実施の形態〕
以下、本発明の第３の実施の形態について説明する。
第３の実施の形態は、スキャン処理において一つの放送エリア区分内の複数のチャンネルリストを登録可能とし、現在位置に応じてチャンネルリストを切り替え表示するものである。
【００５８】
第３の実施の形態の構成は、第１の実施の形態で説明したのと略同様であるので説明を省略する。また、第３の実施の形態におけるスキャン処理は、第１の実施の形態において説明したスキャン処理Ａ（図３参照）と同様であるので説明を省略し、以下、第３の実施の形態におけるチャンネルリスト切り替え動作について説明する。
【００５９】
（チャンネルリスト表示制御処理Ｃ）
図７に、制御部１１により実行されるチャンネルリスト表示制御処理Ｃのフローを示す。この処理は、通常受信中において、制御部１１とＲＯＭ１９に記憶されたチャンネルリスト表示制御処理Ｃプログラムとの協働によるソフトウエア処理により実現される。なお、通常受信中とは、ユーザによる入力装置１２による選局指示後から次のユーザによるスキャン又は選局指示までの放送受信中状態を指す。
【００６０】
まず、現在位置検出部１８により現在位置情報が取得される（ステップＳ６１）。次いで、地図ＤＢ２１１が参照され、取得された現在位置情報に基づいて、現在位置が属する放送エリア区分（地域／県等）が判別される（ステップＳ６２）。
【００６１】
次いで、現在位置が属する放送エリア区分が現在表示されているチャンネルリストの放送エリア区分と一致しているか否かが判断され、一致していると判断されると（ステップＳ６３；ＹＥＳ）、処理はステップＳ６５に移行する。現在位置が属する放送エリア区分が現在表示されているチャンネルリストの放送エリア区分と一致していないと判断されると（ステップＳ６３；ＮＯ）、現在位置が属する放送エリア区分が対応付けられたチャンネルリストがチャンネルリスト記憶部２２において検索処理され、現在位置が属する放送エリア区分が対応付けられたチャンネルリストがチャンネルリスト記憶部２２に記憶されているか否かが判断される。該当するチャンネルリストが検索されず、現在位置が属する放送エリア区分が対応付けられたチャンネルリストが記憶されていないと判断されると（ステップＳ６４；ＮＯ）、処理はステップＳ６７に移行する。
【００６２】
一方、現在位置が属する放送エリア区分が対応付けられたチャンネルリストがチャンネルリスト記憶部２２に記憶されていると判断されると（ステップＳ６４；ＹＥＳ）、現在位置が属する放送エリア区分に対応付けられたチャンネルリストのうち、現在位置から最も近い位置情報が対応付けられたチャンネルリストが選択され（ステップＳ６５）、選択されたチャンネルリストに表示装置１６の表示が切り替えられ（ステップＳ６６）、処理はステップＳ６７に移行する。
【００６３】
ステップＳ６７においては、通常受信中であるか否かが判断され、通常受信中であると判断されると（ステップＳ６７；ＹＥＳ）、一定時間待機され（ステップＳ６８）、処理はステップＳ６１に戻る。一方、通常受信中ではないと判断されると（ステップＳ６７；ＮＯ）、本処理は終了する。
【００６４】
以上説明したように、第３の実施の形態においては、同一放送エリア区分内の複数のチャンネルリストを登録可能であり、同一放送エリア区分内で移動する際に現在位置に最も近い位置情報が対応付けられたチャンネルリストが自動的に切り替え表示される。従って、同一放送エリア区分内において、例えば、東端と西端のように受信可能な放送局が異なる場合であっても、現在位置の移動に応じて最適なチャンネルリストを表示することが可能となる。
【００６５】
〔第４の実施の形態〕
以下、本発明の第４の実施の形態について説明する。
第４の実施の形態は、各放送エリア区分のチャンネルリストを予め記憶（プリセット）しておき、現在位置が属する放送エリア区分に対応するチャンネルリスト（スキャン、プリセット）の中から現在位置に最も近い位置情報に対応付けられたチャンネルリストに表示を切り替えるものである。
【００６６】
第４の実施の形態の構成は、デジタル放送受信機１のＲＯＭ１９に、各放送エリア区分のチャンネルリストが予め記憶されているところが第１〜第３の実施の形態と異なる。この予め記憶された各放送エリア区分のチャンネルリストは、図２に示したのと同様に、放送エリア区分及び当該チャンネルリストが作成された地点の位置情報が対応付けられている。その他のデジタル放送受信機１の構成は、第１の実施の形態で説明したのと同様であるので説明を省略する。また、第４の実施の形態におけるスキャン処理は、第１の実施の形態において説明したスキャン処理Ａ（図３参照）と同様であるので説明を省略し、以下、第４の実施の形態におけるチャンネルリスト切り替え動作について説明する。
【００６７】
なお、以下の説明では、ＲＯＭ１９に予め記憶されたチャンネルリストをプリセットされたチャンネルリストと呼ぶ。また、スキャン処理により取得され、チャンネルリスト記憶部２２に記憶されているチャンネルリストをスキャンされたチャンネルリストと呼ぶ。
【００６８】
（チャンネルリスト表示制御処理Ｄ）
図８に、制御部１１により実行されるチャンネルリスト表示制御処理Ｄのフローを示す。この処理は、通常受信中において、制御部１１とＲＯＭ１９に記憶されたチャンネルリスト表示制御処理Ｄプログラムとの協働によるソフトウエア処理により実現される。なお、通常受信中とは、ユーザによる入力装置１２による選局指示後から次のユーザによるスキャン又は選局指示までの放送受信中状態を指す。
【００６９】
まず、現在位置検出部１８により現在位置情報が取得される（ステップＳ７１）。次いで、地図ＤＢ２１１が参照され、取得された現在位置情報に基づいて、現在位置が属する放送エリア区分（地域／県等）が判別される（ステップＳ７２）。
【００７０】
次いで、現在位置が属する放送エリア区分が対応付けられたスキャンされたチャンネルリストがチャンネルリスト記憶部２２において検索処理され、現在位置が属する放送エリア区分が対応付けられたスキャンされたチャンネルリストがチャンネルリスト記憶部２２に記憶されているか否かが判断される。該当するチャンネルリストが検索されず、現在位置が属する放送エリア区分が対応付けられたスキャンされたチャンネルリストが記憶されていないと判断されると（ステップＳ７３；ＮＯ）、ＲＯＭ１９に予め記憶されている、現在位置が属する放送エリア区分が対応付けられたプリセットされたチャンネルリストが選択され（ステップＳ７５）、選択されたチャンネルリストに表示が切り替えられ（ステップＳ７６）、処理はステップＳ７７に移行する。
【００７１】
一方、該当するチャンネルリストが検索され、現在位置が属する放送エリア区分が対応付けられたスキャンされたチャンネルリストがチャンネルリスト記憶部２２に記憶されていると判断されると（ステップＳ７３；ＹＥＳ）、検索されたチャンネルリスト、現在位置が属する放送エリア区分が対応付けられたスキャンされたチャンネルリストと、ＲＯＭ１９に記憶されている現在位置が属する放送エリア区分に対応付けられたプリセットされたチャンネルリストの位置情報が比較され、現在位置から最も近い位置情報が対応付けられたチャンネルリストが選択される（ステップＳ７４）。そして、選択されたチャンネルリストに表示装置１６の表示が切り替えられ（ステップＳ７６）、処理はステップＳ７７に移行する。
【００７２】
ステップＳ７７においては、通常受信中であるか否かが判断され、通常受信中であると判断されると（ステップＳ７７；ＹＥＳ）、一定時間待機され（ステップＳ７８）、処理はステップＳ７１に戻る。一方、通常受信中ではないと判断されると（ステップＳ７７；ＮＯ）、本処理は終了する。
【００７３】
以上説明したように、第４の実施の形態によれば、各放送エリア区分のチャンネルリストを予め記憶（プリセット）しておき、現在位置が属する放送エリア区分に対応するチャンネルリスト（スキャン、プリセット）の中から現在位置に最も近い位置情報に対応付けられたチャンネルリストに表示を自動的に切り替える。従って、プリセットされたチャンネルリスト、スキャンされたチャンネルリストの中から現在位置の移動に応じて最適なチャンネルリストを表示することが可能となる。
【００７４】
〔第５の実施の形態〕
以下、本発明の第５の実施の形態について説明する。
第５の実施の形態においては、現在位置が属する放送エリア区分から隣接する放送エリア区分へ移動するに際し、両エリアの中間地点付近において、両エリアのチャンネルリストを合成したリストを表示する。
【００７５】
第５の実施の形態の構成は、第１の実施の形態で説明したのと略同様であるので説明を省略する。また、第５の実施の形態におけるスキャン処理は、第２の実施の形態において説明したスキャン処理Ｂ（図５参照）と同様であるので説明を省略し、以下、第５の実施の形態におけるチャンネルリスト切り替え動作について説明する。
なお、本実施の形態においては、各放送エリア区分のチャンネルリストがチャンネルリスト記憶部２２に記憶されているものとする。
【００７６】
（チャンネルリスト表示制御処理Ｅ）
図９に、制御部１１により実行されるチャンネルリスト表示制御処理Ｅのフローを示す。この処理は、通常受信中において、制御部１１とＲＯＭ１９に記憶されたチャンネルリスト表示制御処理Ｅプログラムとの協働によるソフトウエア処理により実現される。なお、通常受信中とは、ユーザによる入力装置１２による選局指示後から次のユーザによるスキャン又は選局指示までの放送受信中状態を指す。
【００７７】
まず、現在位置検出部１８により現在位置情報が取得される（ステップＳ８１）。次いで、地図ＤＢ２１１が参照され、取得された現在位置情報に基づいて、現在位置が属する放送エリア区分（地域／県等）が判別される（ステップＳ８２）。また、地図ＤＢ２１１が参照され、現在位置検出部１８により検出される移動方向に隣接する放送エリア区分が特定される（ステップＳ８３）。
【００７８】
次いで、現在位置が属する放送エリア区分のチャンネルリストに対応付けられた位置情報（Ｐ１）と、隣接する放送エリア区分のチャンネルリストに対応付けられた位置情報（Ｐ２）との中間地点の位置情報（Ｐ３）が算出される（ステップＳ８４）。
【００７９】
次いで、現在位置がＰ１〜Ｐ３の何れに最も近いかが判断され、Ｐ１が最も近いと判断されると（ステップＳ８５；ＹＥＳ）、現在位置が属する放送エリア区分に対応付けられたチャンネルリストが選択され（ステップＳ８６）、処理はステップＳ９０に移行する。現在位置がＰ２に最も近いと判断されると（ステップＳ８５；ＮＯ、ステップＳ８７；ＹＥＳ）、ステップＳ８３で特定された現在位置に隣接する放送エリア区分に対応付けられたチャンネルリストが選択され（ステップＳ８８）、処理はステップＳ９０に移行する。現在位置がＰ３に最も近いと判断されると（ステップＳ８７；ＮＯ）、現在位置が属するエリア区分に対応付けられたチャンネルリストと現在位置に隣接する放送エリア区分に対応付けられたチャンネルリストがマージ（合成）され、マージされたチャンネルリストが選択され（ステップＳ８９）、処理はステップＳ９０に移行する。
【００８０】
ステップＳ９０においては、選択されたチャンネルリストに表示装置１６の表示が切り替えられる。そして、ステップＳ９１において、通常受信中であるか否かが判断され、通常受信中であると判断されると（ステップＳ９１；ＹＥＳ）、一定時間待機され（ステップＳ９２）、処理はステップＳ８１に戻る。一方、通常受信中ではないと判断されると（ステップＳ９１；ＮＯ）、本処理は終了する。
【００８１】
なお、チャンネルリスト記憶部２２に現在位置の属する放送エリア区分に対応するスキャンされたチャンネルリスト又は現在位置の属する放送エリア区分に隣接するスキャンされたチャンネルリストが存在しない場合、該当する放送エリア区分のプリセットされたチャンネルリストを用いることとしてもよい。
【００８２】
以上説明したように、第５の実施の形態によれば、現在位置が属する放送エリア区分から隣接する放送エリア区分へ移動するに際し、両エリアの中間地点付近において、両エリアのチャンネルリストを合成したリストを表示することができるので、２つの放送エリア区分の放送局の受信が可能な境界付近において、双方の放送エリア区分のチャンネルリストを表示することが可能となる。
【００８３】
〔第６の実施の形態〕
以下、本発明の第６の実施の形態について説明する。
第６の実施の形態においては、チャンネルリストを表示する際に、チャンネルリスト内の各周波数帯域が現在受信可能であるか、受信不可能であるかを区別して両者を識別可能に表示する。
【００８４】
第６の実施の形態の構成は、第１の実施の形態で説明したのと略同様であるので説明を省略する。また、第６の実施の形態におけるスキャン処理は、第１の実施の形態において説明したスキャン処理Ａ（図３参照）と同様であるので説明を省略し、以下、第６の実施の形態におけるチャンネルリスト切り替え動作について説明する。
【００８５】
（チャンネルリスト表示制御処理Ｆ）
図１０に、制御部１１により実行されるチャンネルリスト表示制御処理Ｆのフローを示す。この処理は、通常受信中において、制御部１１とＲＯＭ１９に記憶されたチャンネルリスト表示制御処理Ｆプログラムとの協働によるソフトウエア処理により実現される。なお、通常受信中とは、ユーザによる入力装置１２による選局指示後から次のユーザによるスキャン又は選局指示までの放送受信中状態を指す。
【００８６】
まず、現在位置検出部１８により現在位置情報が取得される（ステップＳ１０１）。次いで、チャンネルリスト記憶部２２において現在位置に最も近い位置情報が対応付けられたチャンネルリストが検索される（ステップＳ１０２）。次いで、現在表示されているチャンネルリストの位置情報と検索されたチャンネルリストの位置情報とが比較され、現在表示されているチャンネルリストの位置情報が検索されたチャンネルリストの位置情報より現在位置に近いと判断されると（ステップＳ１０３；ＮＯ）、処理はステップＳ１０５に移行する。
【００８７】
一方、検索されたチャンネルリストの位置情報が現在表示されているチャンネルリストの位置情報より現在位置に近いと判断されると（ステップＳ１０３；ＹＥＳ）、検索されたチャンネルリストに表示装置１６の表示が切り替えられ（ステップＳ１０４）、処理はステップＳ１０５に移行する。
【００８８】
ステップＳ１０５においては、受信可否検出処理が実行される。受信可否検出処理がすると、通常受信中であるか否かが判断され、通常受信中であると判断されると（ステップＳ１０６；ＹＥＳ）、一定時間待機され（ステップＳ１０７）、処理はステップＳ１０１に戻る。一方、通常受信中ではないと判断されると（ステップＳ１０６；ＮＯ）、本処理は終了する。
【００８９】
図１１に、ステップＳ１０５において制御部１１により実行される受信可否検出処理のフローを示す。この処理は、制御部１１とＲＯＭ１９に記憶された受信可否検出処理プログラムとの協働によるソフトウエア処理により実現される。
【００９０】
まず、チューナー部１３において現在表示されているチャンネルリスト内の放送局のうちの一つが選択されて放送信号が受信され（ステップＳ１１１）、受信された放送信号から復調部１４によりＴＭＣＣ情報等の制御情報、ＰＡＴ、ＰＭＴ、ＮＩＴ等の情報テーブルが取得される（ステップＳ１１２）。
【００９１】
次いで、復調部１４において取得された制御情報及び情報テーブルが解析され、選択された放送局に対応する放送局の放送波・サービスの有無が判断される。解析の結果、選択された放送局に対応する放送局の放送波・サービスが存在すると判断されると（ステップＳ１１３；ＹＥＳ）、表示装置１６に表示されているチャンネルリストに、現在選択されている放送局が受信可能であることを示す表示がなされ（ステップＳ１１４）、処理はステップＳ１１６に移行する。解析の結果、現在選択されている放送局の放送波・サービスが存在しないと判断されると（ステップＳ１１３；ＮＯ）、表示装置１６に表示されているチャンネルリストに、現在選択されている放送局が受信不可能であることを示す表示がなされ（ステップＳ１１５）、処理はステップＳ１１６に移行する。
【００９２】
ステップＳ１１６においては、現在表示されているチャンネルリストの全ての放送局が選択されたか否かが判断され、まだ選択されていない放送局が存在すると判断されると（ステップＳ１１６；ＮＯ）、処理はステップＳ１１１に戻る。現在表示されているチャンネルリストの全ての放送局が選択されたと判断されると（ステップＳ１１６；ＹＥＳ）、本処理は終了する。
【００９３】
図１２に、表示装置１６に表示されるチャンネルリスト１３１の一例を示す。図１２に示すように、チャンネルリスト１３１は、受信可能な放送局は白で、受信不可能な放送局はグレーで表示している。このように、受信可能な放送局と一時的に受信不可能な放送局を区別して表示することにより、ユーザがチャンネルリストに載っている放送局のうち何れの放送局が現在受信可能であり、何れの放送局が受信不可能であるか認識することができる。
【００９４】
なお、上記では、チャンネルリスト内の各チャンネルが受信可能であるか否かの検出及び結果の表示を第１の実施の形態のデジタル放送受信機１に適用した場合について説明したが、第２の実施の形態〜第５の実施の形態におけるデジタル放送受信機１に適用してもよい。即ち、各実施の形態におけるチャンネルリスト表示制御処理において、通常受信中であるか否かの判断（図６のステップＳ５６、図７のステップＳ６７、図８のステップＳ７７、図９のステップＳ９１）の前に、図１１に示す受信可否検出処理を行って、受信可能なチャンネルと受信不可能なチャンネルを区別して表示するようにしてもよい。
【００９５】
以上説明したように、第６の実施の形態によれば、チャンネルリストを表示する際に、チャンネルリスト内の各周波数帯域が現在受信可能であるか、受信不可能であるかを区別して表示するので、例えば、地形や建物の影響による信号状況の変化によりチャンネルリストに載っているが受信難の放送局をユーザが認識することが可能となる。
【００９６】
〔第７の実施の形態〕
以下、本発明の第７の実施の形態について説明する。
第７の実施の形態においては、スキャン結果に基づいて、スキャン地点の位置情報に対応する地図ＤＢ２１１における放送エリア区分を更新する。
【００９７】
第７の実施の形態の構成は、第１の実施の形態で説明したのと略同様であるので説明を省略し、以下、第７の実施の形態における動作について説明する。
【００９８】
（地図ＤＢ更新処理）
図１３に、制御部１１により実行される地図ＤＢ更新処理のフローを示す。この処理は、制御部１１とＲＯＭ１９に記憶された地図ＤＢ更新処理プログラムとの協働によるソフトウエア処理により実現される。
【００９９】
まず、スキャン動作が行われ、チューナー部１３において有効周波数帯域の各周波数が順次選択されて放送信号が受信され、受信された各放送信号から、復調部１４によりＴＭＣＣ情報等の制御情報、ＰＡＴ、ＰＭＴ、ＮＩＴ等の情報テーブルが取得される（ステップＳ１２１）。
【０１００】
次いで、受信した各周波数（放送局）のＮＩＴに含まれる放送地域情報（エリアコード等）が取得され（ステップＳ１２２）、取得された各放送地域情報に基づいて、現在位置に対応する放送エリア区分が特定される（ステップＳ１２３）。現在位置に対応する放送エリア区分の特定方法としては、例えば、スキャンの結果、最も多く含まれたエリアコードに対応する放送エリアを現在位置に対応する放送エリア区分として特定する。また、放送地域情報において、広域のなかに県域が含まれていれば、県を放送エリア区分として選択する。なお、スキャン結果が既に登録されている他の放送エリア区分のチャンネルリストと同じであれば、同エリアとみなすようにしてもよい。
【０１０１】
そして、地図ＤＢ２１１において現在位置（緯度経度、住所）に対応する放送エリア区分が特定された放送エリア区分に更新され（ステップＳ１２４）、本処理は終了する。
【０１０２】
なお、図５で説明したスキャン処理ＢにおけるステップＳ３３〜Ｓ３７のスキャン動作に続けてステップＳ１２２〜Ｓ１２４の処理を実行することにより地図ＤＢ２１１を更新し、その後、更新した地図ＤＢ２１１を参照してチャンネルリストに放送エリア区分を対応付け、チャンネルリストの登録や更新を行うようにしてもよい。
【０１０３】
以上説明したように、第７の実施の形態によれば、スキャン結果に基づいて、スキャン地点の位置情報に対応する地図ＤＢ２１１における放送エリア区分を更新することで、その地点が属するとして予め定められている放送エリア区分によらず、実際の受信環境に応じて、チャンネルリストを表示することが可能となる。例えば、スキャンの結果、スキャン地点において受信可能な放送局がその地点が属する地域Ａではなく他の地域Ｂと同じ場合に、地図ＤＢ２１１における当該地点の位置情報（緯度経度、住所）に対応する放送エリア区分Ａを他の地域の放送エリア区分Ｂに更新することで、他の地域Ｂのチャンネルリストを表示することが可能となる。
【０１０４】
以上、本発明の第１〜第７の実施の形態について説明したが、上記実施の形態における記述は、本発明に係るデジタル放送受信機１の一例であり、これに限定されるものではない。
【０１０５】
例えば、上記実施の形態においては、移動体に搭載されたデジタル放送受信機１について説明したが、デジタル放送受信機が固定用である場合、チャンネルリストを自動的に切り替えるトリガとして時間情報や日付情報を用いてもよい。例えば、１日の時間帯の中で受信可能な放送局が変化する場合があれば、デジタル放送受信機に内蔵されたシステム時計による時間情報の変化に応じてチャンネルリストを切り替えるようにしてもよい。また、ある期日以降に新たに放送局が追加されることがわかっている場合、日付情報の変化に応じて、ある期日の日付以降は自動的に新たな放送局が追加されたチャンネルリストに切り替えてもよい。
【０１０６】
また、デジタル放送受信機に記憶するチャンネルリストは、位置情報とともに、それ以外のパラメータと対応付けて記憶されるようにしてもよい。例えば、アンテナが複数接続可能、又はダイバー方式などユーザがアンテナ受信設定を受信機内部のメニュー操作から選択可能である場合、同一の位置情報であってもアンテナ設定毎のチャンネルリストをそれぞれ持つようにしてもよい。そして、ユーザがアンテナ受信設定を切り替えると自動的に現在のアンテナ受信設定に対応付けられたチャンネルリストに表示を切り替えるようにしてもよい。
【０１０７】
また、チャンネルリストは、速度情報や道路情報などと対応付けて記憶するようにしてもよい。例えば、一般道路走行中と高速道路走行中で同一位置情報でも別のチャンネルリストを保持してもよい。この場合、ナビゲーション装置や他の外部機器から得られる現在の走行道路情報や車速情報を基にチャンネルリストを自動的に切り替えることができる。
【０１０８】
また、デジタル放送の中には、日本のＩＳＤＢ−Ｔ（Integrated Services Digital Broadcasting−Terrestrial）規格のように複数の階層伝送を行うことができ、一つの放送局で受信範囲の異なる複数の放送を行っている場合もある。そのため、デジタル放送受信機に記憶するチャンネルリストは位置情報とともに階層毎のリストに分けることもできる。例えば、ワンセグメント受信と１２セグメント受信がこれに相当する。ユーザがデジタル放送受信機内部のメニューからワンセグメント受信と１２セグメント受信を切り替える、又は、受信状況に応じて自動的に切り替えられる場合、同一位置であってもワンセグメント受信と１２セグメント受信でチャンネルリストを切り替えても良い。また、移動により切り替えられるチャンネルが階層毎にわかれていても良い。
【０１０９】
その他、上記実施の形態におけるデジタル放送受信機１の細部構成及び詳細動作に関しても、本発明の趣旨を逸脱しない範囲で適宜変更可能である。
【図面の簡単な説明】
【０１１０】
【図１】本発明に係る実施の形態のデジタル放送受信機の機能的構成を示すブロック図である。
【図２】図１のチャンネルリスト記憶部のデータ格納例を示す図である。
【図３】第１の実施の形態において図１の制御部により実行されるスキャン処理Ａを示すフローチャートである。
【図４】第１の実施の形態において図１の制御部により実行されるチャンネルリスト表示制御処理Ａを示すフローチャートである。
【図５】第２の実施の形態において図１の制御部により実行されるスキャン処理Ｂを示すフローチャートである。
【図６】第２の実施の形態において図１の制御部により実行されるチャンネルリスト表示制御処理Ｂを示すフローチャートである。
【図７】第３の実施の形態において図１の制御部により実行されるチャンネルリスト表示制御処理Ｃを示すフローチャートである。
【図８】第４の実施の形態において図１の制御部により実行されるチャンネルリスト表示制御処理Ｄを示すフローチャートである。
【図９】第５の実施の形態において図１の制御部により実行されるチャンネルリスト表示制御処理Ｅを示すフローチャートである。
【図１０】第６の実施の形態において図１の制御部により実行されるチャンネルリスト表示制御処理Ｆを示すフローチャートである。
【図１１】図１０のステップＳ１０５において実行される受信可否検出処理を示すフローチャートである。
【図１２】図１０のチャンネルリスト表示制御処理Ｆにおいて表示されるチャンネルリストの一例を示す図である。
【図１３】第７の実施の形態において図１の制御部により実行される地図ＤＢ更新処理を示すフローチャートである。
【符号の説明】
【０１１１】
１  デジタル放送受信機
１１  制御部
１２  入力装置
１３  チューナー部
１３ａ  アンテナ
１４  復調部
１５  映像・音声出力装置
１６  表示装置
１７  スピーカ
１８  現在位置検出部
１９  ＲＯＭ
２０  ＲＡＭ
２１  ハードディスク装置
２１１  地図ＤＢ
２２  チャンネルリスト記憶部
【図１】
2009111602.tif 000003
【図２】
2009111602.tif 000004
【図３】
2009111602.tif 000005
【図４】
2009111602.tif 000006
【図５】
2009111602.tif 000007
【図６】
2009111602.tif 000008
【図７】
2009111602.tif 000009
【図８】
2009111602.tif 000010
【図９】
2009111602.tif 000011
【図１０】
2009111602.tif 000012
【図１１】
2009111602.tif 000013
【図１２】
2009111602.tif 000014
【図１３】
2009111602.tif 000015